(57)【要約】      （修正有）【課題】地面に切り込み入り易いナイフの薄い刃先を活用した、またナイフの柄をくの字に曲げることにより楽な姿勢で除草が行なえ、さらに除草具の柄に握り易いグリップを取り付けることにより広範囲の除草作業も片手で楽に手を汚さずに行なうことが可能な雑草挟み引き抜き具の提供。【解決手段】底辺から連続してギザギザ波型の歯１を設けたステーキナイフ型の雑草挟み引き抜き具を対設するが柄はくの字に上向きに曲げ枢着部を介して対設する柄に連結し柄には握り易いようにグリップを取り付ける。【選択図】図１
0003133117.tif 000002
【実用新案登録請求の範囲】
【請求項１】
一端側には斜め上向きに向けてくの字に曲げられた柄を有するステーキナイフ型をした具を対設して挟み具とするがステーキナイフ型底辺から連続して設けられたギザギザ波型の歯先は互いに向き合う対象のステーキナイフ型内側側面に向いていおり、ステーキナイフ型のくの字に曲げられた柄の先はタイコどめ等の枢着部を介して対設する柄に連結した雑草挟み引き抜き具であるが、柄の握りの部分には握り易くする為に親指や人差し指が当たるへこみや手の内側にフィットするようにカーブ部分が設けられた取っ手を取り付け、柄の開閉はバネ等を取り付けて行う。以上を特徴とした雑草挟み引き抜く具である。
【請求項２】
請求項１に記載の雑草はさみ引き抜き具であって、くの字柄を有するステーキナイフ型挟み具であるがステーキナイフ型底辺から連続して設けられたギザギザ波型の歯先は互いに向き合う対象のステーキナイフ型の内側側面に向いているので挟み合う。以上を特徴とした雑草引き抜き具である。
【考案の詳細な説明】
【技術分野】
【０００１】本考案は一端側に斜め上向きに向けてくの字に曲げられた柄を有するステーキナイフ型をしたはさみ具を対設して挟み具とするがステーキナイフナイフ型の底辺から連続して設けられたギザギザ波型歯の先は向き合う対象のステーキナイフ型内側側面に向き合って挟み合い、ナイフ型のくの字に曲げられた柄の先はタイコ止めなどの枢着部を介して対設する柄に連結するがその柄の握りの部分には握り易いように親指や人差し指が当たるへこみや手の内側にフィットするようにカーブした部分を設けられたグリップが取り付けられている雑草はさみ引き抜き具に関する。
【背景技術】
【０００２】雑草を引き抜く作業においては一方の手で持つくわで雑草の根を掘り起こしつつもう一方の手で雑草を引き抜く事が知られている
【考案の開示】
【考案が解決しようとする課題】
【０００３】しかしながら両手を使っての除草作業においては手の届く範囲が限られてしまうし、手も汚れる。
【課題と解決する為の手段】
【０００４】本当案は柄がななめ上方に向けて屈曲されたステーキナイフ型の具を対設した雑草はさみ引き抜き具である。ナイフ型底辺から連続して向き合う対象のナイフ内側側面に向かってギザギザ波型の歯を設けるこの一端側のはさみ具を対設する柄に連結する。その柄には握り易いように親指や人差し指を当てるへこみや手の内側にフィットするようにカーブした部分を設けられたグリップを取り付ける。これにより、片手で除草作業が可能になるので手を汚さずに、又片手を伸ばして除草が行なえるのでさらに広範囲の除草作業が可能となり、よって上記問題を解決するものである。
【考案の形態】
【０００５】図１に示すようにステーキナイフ型具の底辺から連続してギザギザ波型歯１を設けた具を対設して挟み具２とする。
【０００６】図２のステーキナイフ型挟み具２の正面図がに示すようにナイフ型底辺から連続して設けられたギザギザ波型の歯先３はナイフ内側側面４にむけてむ向き合っている。
【０００７】図３が示すようにステーキナイフ型挟み具の柄５は斜め上に向けてけてくの字に曲げられている。
【０００８】図４が示すようにくの字柄ステーキナイフ型雑草挟み引き抜くき具の上面全体図であるが枢着部６を介して連結された対設する柄７にはグリップ８やバネ９が取り付けられている。
【０００９】図５が示すようにグリップには親指や人差し指を当てるへこみ１０やカーブした握り部分１１が設けられている。
【００１０】上記工程により完成した雑草挟み引き抜き具は、はじめに薄いナイフ型具の薄い刃先が地中に切り込み入るのでギザギザ波型歯のある残りの部分も容易に地中に侵入する。ナイフ型具の柄がくの字に斜めに曲げられているので楽な姿勢で除草が行なえる。くの字柄ナイフ型雑草挟み引抜き具の柄の握る部分に取り付けられているグリップは親指や人差し指を当てるへこみや握ったとき手の内側にフィットするようにカーブしている部分があるので除差作業を楽に片手でしかも広範囲に行なう事を可能にした雑草挟み引き抜き具である。
【考案の効果】
【００１１】本考案に関わる雑草挟み引き抜き具は地中に切り込み入る為に薄いナイフの刃先を活用したものであり、ナイフの柄をくの字に曲げる事により楽な姿勢で除草作業が行なえる、さらに雑草挟み引き抜き具の柄に握り易く力の入り易いグリップを取り付けることにより楽な姿勢で広範囲の除草作業を片手で行なうことが可能であり、なおかつシンプルな造りなので実用性にも優れたものである。
【図面の簡単な説明】
【００１２】
【図１】本考案に関わるくの字柄ステーキナイフ型雑草挟み引抜き具の一部を構成するステーキナイフ型挟み具である。
【図２】本考案に関わるくの字柄ステーキナイフ型雑草挟み引抜き具の一部を構成するステーキナイフ型挟み具の正面図であり、雑草を挟む様子である。
【図３】本考案の関わるくの字柄ステーキナイフ型雑草挟み引き抜き具のくの字柄である。
【図４】本考案に関わるくの字柄ステーキナイフ型雑草挟み引き抜き具の上面全体図であるが枢着部を介して連結された対設する柄にはバネやグリップがとりつけられている。
【図５】本考案に関わるくの字柄ステーキナイフ型雑草挟み引き抜き具の柄に取り付けられたグリップの親指や人差し指を当てるへこみと握りのカーブ部分である。
【符号の説明】
【００１３】  １．  くの字柄ステーキナイフ型雑草挟み引き抜き具のギザギザ波型歯。
２．  くの字柄ステーキナイフ型雑草挟み引き抜き具のステーキナイフ型挟み具。
３．  くの字柄ステーキナイフ型雑草挟み引き抜き具のギザギザ波型歯の歯先。
４．  くの字柄ステーキナイフ型雑草挟み引き抜き具のステーキナイフ内側側面。
５．  くの字柄ステーキナイフ型雑草挟み引き抜き具のナイフのくの字柄。
６．  くの字柄ステーキナイフ型雑草挟み引き抜き具枢着部。
７．  くの字柄ステーキナイフ型雑草挟み引き抜き具の柄。
８．  くの字柄ナイフ型雑草挟み引き抜き具の柄にとりつけられたグリップ。
９．  くの字柄ナイフ型雑草挟み引き抜き具の柄に取り付けられたバネ。
１０．  くの字柄ナイフ型雑草挟み引き抜き具の柄に取り付けられたグリップの親指や人差し指を当てるへこみ。
１１．  くの字柄ステーキナイフ型雑草挟み引き抜き具の柄に取り付けられたグリップの握りのカーブ部分。
【図１】
0003133117.tif 000003
【図２】
0003133117.tif 000004
【図３】
0003133117.tif 000005
【図４】
0003133117.tif 000006
【図５】
0003133117.tif 000007
【手続補正書】
【提出日】平成19年3月14日(2007.3.14)
【手続補正１】
【補正対象書類名】実用新案登録請求の範囲
【補正対象項目名】全文
【補正方法】変更
【補正の内容】
【実用新案登録請求の範囲】
【請求項１】
一端側には斜め上向きに向けてくの字に曲げられた柄を有するステーキナイフ型をした具を対設して挟み具とするが、ステーキナイフ型底辺から連続して設けられたギザギザ波型の歯先は互い向き合う対象のステーキナイフ型内側側面に向いており、ステーキナイフ型のくの字に曲げられた柄の先はタイコどめ等の枢着部を介して対設する柄に連結した雑草挟み引き抜き具であるが、柄の握りの部分には握り易くする為に親指や人差し指が当たるへこみや手の内側にフィットするようにカーブ部分が設けられた取っ手を取り付け、柄の開閉はバネ等を取り付けて行なう事を特徴とする雑草挟み引き抜き具である。
【請求項２】
請求項１に記載の雑草はさみ引き抜き具であって、くの字柄を有するステーキナイフ型挟み具であるがステーキナイフ型底辺から連続して設けられたギザギザ波型の歯先は互いに向き合う対象のステーキナイフ型の内側側面に向いているので挟み合う事を特徴とする雑草挟み引き抜き具である。